(57)【要約】      （修正有）【課題】金属製、プラスチック製などからなる線材を六角形の亀甲形などに編んで加工形成される網において、この網を構成する線材の鋭く切断された端部切断面部分を覆って保護し、網を構成する線材の端部切断面の安全性を高めることのできる網端部保護部材を提供する。【解決手段】網を亀甲形に編み上げた線材の端部切断面が挿入される線材端部切断面挿入空所２２を内部に備えた筒状形からなる。【選択図】図１
0003192957.tif 000002
【実用新案登録請求の範囲】
【請求項１】
網を亀甲形に編み上げた線材の端部切断面が挿入される線材端部切断面挿入空所を内部に備えた筒状形からなることを特徴とする網端部保護部材。
【請求項２】
筒状形の内部の線材端部切断面挿入空所には、線材の端部切断面及び２本の線材を撚って形成された端部撚り軸の双方が挿入される請求項１記載の網端部保護部材。
【請求項３】
筒状形の内部の両端側の線材端部切断面挿入空所には、隣り合う線材の端部切断面がそれぞれ挿入され、端部切断面が形成された隣り合う線材の端部側は連結される請求項１記載の網端部保護部材。
【請求項４】
筒状形は保護部材用線材をコイル状に巻いたものから形成される請求項１〜請求項３のいずれかに記載の網端部保護部材。
【請求項５】
筒状形を形成する保護部材用線材は、網を亀甲形に編み上げた線材と同じ材質からなる請求項４記載の網端部保護部材。
【考案の詳細な説明】
【技術分野】
【０００１】
この考案は、例えば金属製、プラスチック製などからなる線材を、例えば六角形の亀甲形などに編んで加工形成される網の端部を保護する技術に係り、特に、網の端部切断面の鋭く切断された部分を覆って保護し、網の端部切断面の安全性を高める網端部保護部材に関するものである。
【背景技術】
【０００２】
例えば金属製、プラスチック製などからなる線材を、例えば六角形の亀甲形などに編んで形成される網が知られている。この網は、金属製、プラスチック製などの線材を特殊な編み上げ装置を使って、亀甲形などの網状に加工して作られる。そして、このような加工で作られた網は強度があるため、例えば侵入防止フェンスや落石防止フェンスなどの防護用フェンス、養殖用の生け簀網などに幅広く使用されている。
【先行技術文献】
【特許文献】
【０００３】
【特許文献１】特開２００５−１８８１６４
【考案の概要】
【考案が解決しようとする課題】
【０００４】
ところで、前記の網は、現地に取り付けて使用されるとき、現地のサイズに応じて切断して使用されることがある。この場合、切断された網の端部になる線材の先端は、鋭く切断されている。この金属製、プラスチック製などからなる線材は、直径が数mmから５mm前後になるものもあり、しかも堅いため、鋭く切断されている線材の先端は危険な状態にある。
この場合において、外枠が設けられたものに端部を切断した網を取り付ける場合には、端部の切断された端部切断面は外枠内に収まり外部に露出することはないので、切断した端部切断面で怪我などをすることもない。
しかし、一部のものにあっては、切断された網の端部がそのまま露出された状態で残ることもある。この場合には、上記したように端部になる線材の端部切断面は鋭く切断されているので、この部分で怪我する恐れもあり、非常に危険な状態になるという課題があった。
【０００５】
この考案は、上記のような課題に鑑み、その課題を解決すべく創案されたものであって、その目的とするところは、金属製、プラスチック製などからなる線材を六角形の亀甲形などに編んで加工形成される網において、この網を構成する線材の鋭く切断された端部切断面部分を覆って保護し、網を構成する線材の端部切断面の安全性を高めることのできる網端部保護部材を提供することにある。
【課題を解決するための手段】
【０００６】
以上の課題を達成するために、請求項１の考案は、網を亀甲形に編み上げた線材の端部切断面が挿入される線材端部切断面挿入空所を内部に備えた筒状形からなる手段よりなるものである。
ここで、請求項１の好ましい態様として、請求項２では、筒状形の内部の線材端部切断面挿入空所には、線材の端部切断面及び２本の線材を撚って形成された端部撚り軸の双方が挿入される。請求項３では、筒状形の内部の両端側の線材端部切断面挿入空所には、隣り合う線材の端部切断面がそれぞれ挿入され、端部切断面が形成された隣り合う線材の端部側は連結される。
さらに、請求項１〜請求項３の好ましい態様として、請求項４では、筒状形は保護部材用線材をコイル状に巻いたものから形成される。さらにまた、請求項４の好ましい態様として、請求項５は、筒状形を形成する保護部材用線材は、網を亀甲形に編み上げた線材と同じ材質からなる。
【考案の効果】
【０００７】
課題を解決するための手段よりなるこの考案に係る網端部保護部材によれば、網を亀甲形に編み上げた線材の端部切断面が挿入される線材端部切断面挿入空所を内部に備えた筒状形からなる網端部保護部材を、鋭利な切断面を有する線材の端部切断面に装着して、線材端部切断面挿入空所の内部に線材の端部切断面を挿入することにより、鋭利な切断面を有する線材の端部切断面が外部に露出するのを確実に防いで、鋭利な端部切断面によって身体の一部を傷つけるのを回避でき、安全性を高めることができるという極めて実用的有益なる効果を奏するものである。
【０００８】
また、請求項２の場合には、上記請求項１の効果に加えて、端部撚り軸が外部に露出するのを確実に防いで、端部撚り軸が外部に露出することにより美観がそこなわれるのを回避することができる。
【０００９】
また、請求項３の場合には、上記請求項１の効果に加えて、隣り合う両側の端部撚り軸は、線材の端部切断面側を通じて網端部保護部材によって連結されるので、変形しにくくなり、また強度も高めることができ、これにより網の端部も、変形しにくくなり、また強度も高めることができる。さらに、網端部保護部材の開口する両端は塞がれるので、内部にゴミなどの異物が混入するのを防ぎ、線材の材料に金属製が使用される場合、端部切断面に早期に錆が発生するのを防ぐこともできる。
【００１０】
また、請求項４の場合には、上記請求項１〜請求項３の効果に加えて、端部撚り軸の外径や線材の直径に応じて、保護部材用線材をコイル状に加工することにより、その都度容易に対応可能となり、複数のサイズの網端部保護部材をストックしておく手間を省略することができる。さらに、請求項３に使用する場合には、網端部保護部材はコイル型であるため、コイルの軸芯直角方向に対しては比較的変形し易い構造になり、このため、両者を連結するコイル型の網端部保護部材は全体的に弧状に変形にすることが容易となり、一部分だけが曲がったり、或る箇所に曲がり応力が集中することもない。
【００１１】
また、請求項５の場合には、上記請求項４の効果に加えて、網の線材と網端部保護部材の強度や耐久性を同一に維持することが可能となる。
【図面の簡単な説明】
【００１２】
【図１】（Ａ）はこの考案を実施するための形態−１を示すコイル型の網端部保護部材の平面図、（Ｂ）はコイル型の網端部保護部材の正面図、（Ｃ）はコイル型の網端部保護部材の底面図、（Ｄ）はコイル型の網端部保護部材の右側面図、（Ｅ）は同図（Ａ）のＥ−Ｅ矢視断面図である。
【図２】この考案を実施するための形態−１を示すコイル型の網端部保護部材を網の端部に形成された端部撚り軸に装着した部分正面図である。
【図３】この考案を実施するための形態−１を示すコイル型の網端部保護部材を端部撚り軸に装着した部分正断面図である。
【図４】この考案を実施するための形態−１を示すコイル型の網端部保護部材を網の端部に形成された端部撚り軸の先端側の左右の線材間に装着した部分正面図である。
【図５】（Ａ）はこの考案を実施するための形態−２を示す網端部保護部材の平面図、（Ｂ）は網端部保護部材の正面図、（Ｃ）は網端部保護部材の底面図、（Ｄ）は同図（Ａ）のＤ−Ｄ矢視断面図である。
【図６】この考案を実施するための形態−２を示す網端部保護部材を網の端部に形成された端部撚り軸に装着した部分正面図である。
【図７】この考案を実施するための形態−２を示す網端部保護部材を端部撚り軸に装着した部分正断面図である。
【図８】この考案を実施するための形態−２を示す網端部保護部材を網の端部に形成された端部撚り軸の先端側の左右の線材間に弧状に装着した部分正面図である。
【図９】この考案を実施するための形態−２を示す網端部保護部材を網の端部に形成された端部撚り軸の先端側の左右の線材間に水平状に装着した部分正面図である。
【図１０】従来の網端部を示す部分正面図である。
【考案を実施するための形態】
【００１３】
以下、図面に記載の考案を実施するための形態に基づいて、この考案をより具体的に説明する。
【００１４】
〔実施例の形態−１〕
図１〜図４において、例えば金属製、プラスチック製などからなる線材１１を、例えば六角形の亀甲形Ｋなどに編んで形成される網１が知られている。線材１１のプラスチック製の材質には合成樹脂モノフィラメントがある。この網１は、金属製、プラスチック製などの線材を特殊な編み上げ装置を使って、隣り合う２本の線材１１同士を撚りながら亀甲形Ｋなどの網状に加工して作られる。そして、このような加工で作られた網１は強度があるため、例えば侵入防止フェンスや落石防止フェンスなどの防護用フェンス、養殖用の生け簀網などに幅広く使用されている。
【００１５】
網１は、使用用途に応じて、その端部が適宜切断されて使用される。網１が強度の要求される箇所で使用されることもあって、網１を構成する金属製、プラスチック製などからなる線材１１は、直径が数mmから５mm前後になるものもあり、しかも堅い。このため、これを切断すると、線材１１の切断された端部切断面１１ａは鋭利な切断面となり、危険な状態になる。身体の一部が触れると怪我をすることもあり得る。
【００１６】
コイル型の網端部保護部材２は、鋭利な切断面となる線材１１の端部切断面１１ａを覆って保護するもので、外形は保護部材用線材２１ａをコイル状に巻いて形成されたコイル型筒体２１から構成されている。コイル型筒体２１は平面からみて、例えば円形の形状、つまり円筒形状になっている。
【００１７】
保護部材用線材２１ａをコイル状に巻くことにより、容易に大小のコイル型の網端部保護部材２を作れるので、色々な大きさに対応して任意の大きさのものを作ることが可能となる。また、保護部材用線材２１ａには網１の線材２１ａと同じ材質の例えば金属製、プラスチック製などが使用されている。保護部材用線材２１ａのプラスチック製の材質には合成樹脂モノフィラメントがある。材質を同じにすることにより、網１の線材１１とコイル型筒体２１の強度や耐久性を同一に維持することが可能となる。
【００１８】
コイル型筒体２１の内部には線材１１の端部切断面１１ａが入る線材端部切断面挿入空所２２が形成されている。線材端部切断面挿入空所２２は通常、両端が開口されていて、この開口されたから線材１１の端部切断面１１ａが挿入される。必要に応じて、線材端部切断面挿入空所２２の一方の端が塞がれて使用されることもある。
【００１９】
この線材端部切断面挿入空所２２の内側直径は、コイル型の網端部保護部材２の装着箇所によって大小がある。即ち、端部切断面１１ａと共に端部撚り軸１２も挿入されてこれらを覆って保護する場合と、端部切断面１１ａのみが挿入されてこれを覆って保護する場合では、内側直径が異なる。
【００２０】
網１の端部には隣り合う２本の線材１１同士を撚って端部撚り軸１２が形成されるが、この端部撚り軸１２の先側の近くで切断されることもある。つまり２本の線材１１の先端が端部撚り軸１２の先端側から余り突出させずに切断する場合である。このときには、２つの端部切断面１１ａの直近には一つの端部撚り軸１２があることになる。
【００２１】
このような構造になっているとき、コイル型の網端部保護部材２を端部撚り軸１２に装着して、線材端部切断面挿入空所２２の内部に一つの端部撚り軸１２と二つの端部切断面１１ａとが挿入されてこれらを覆って保護する場合には、コイル型の網端部保護部材２は線材端部切断面挿入空所２２の直径が大きいものが使用される。
【００２２】
この線材端部切断面挿入空所２２の直径が大きいのが用いられる場合には、一つの端部撚り軸１２に一つのコイル型の網端部保護部材２が装着される。このときには、線材端部切断面挿入空所２２の他端から端部撚り軸１２の先端側の端部切断面１１ａが突出しないように、コイル型の網端部保護部材２の長さは端部撚り軸１２の長さより少し長いものが使用される。
【００２３】
各端部撚り軸１２はそこそこの長さを有しているので、コイル型の網端部保護部材２を装着しても、簡単には外れないため装着される。装着される各端部撚り軸１２の先端側には撚った二つの線材１１の各端部切断面１１ａが存在するが、コイル型の網端部保護部材２を各端部撚り軸１２に装着することで、二つの端部切断面１１ａを同時に覆って保護することができるのである。
【００２４】
この場合、装着したコイル型の網端部保護部材２が端部撚り軸１２から簡単に外れないように、内部の端部撚り軸１２と線材端部切断面挿入空所２２との隙間に接着剤が注入されることもある。また、端部撚り軸１２が挿入された一端とは反対側になる線材端部切断面挿入空所２２の他端の開口部分には、内部にゴミなどが入らないように図示しない蓋が取り付けられることがある。
【００２５】
コイル型の網端部保護部材２の線材端部切断面挿入空所２２の内側直径が小さいときには、線材１１の直径ほどの大きさで、線材１１の端部切断面１１ａが完全に挿入できる程度の大きさものが使用される。線材端部切断面挿入空所２２の内側直径が小さい場合には、隣同士の各端部撚り軸１２の先端側から両側に向けてそれぞれ突出する片方の線材１１の先端側同士を連結するように、コイル型の網端部保護部材２は取り付けられる。
【００２６】
この場合、コイル型の網端部保護部材２は、その一端には、端部撚り軸１２先端側の片方の線材１１の端部切断面１１ａが挿入され、その他端には、隣の端部撚り軸１２先端側の片方の線材１１の端部切断面１１ａが挿入される。各端部切断面１１ａを先端側の線材１１は端部撚り軸１２の軸方向に対して６０度前後傾いているので、両者を連結するコイル型の網端部保護部材２の両端側は「ハ」型状になる。このため、両者を連結するコイル型の網端部保護部材２は弧状に変形にする。
【００２７】
このとき、網端部保護部材２はコイル型であるため、コイルの軸芯直角方向に対しては比較的変形し易い構造になっている。このため、両者を連結するコイル型の網端部保護部材２は全体的に弧状に変形にすることが容易となり、一部分だけが曲がったり、或る箇所に曲がり応力が集中することもない。
【００２８】
網１の端部に形成される各端部撚り軸１２は一般にその先端側が連結されてなく、非拘束つまりフリーの状態になっていて、変形し易く、また強度的に弱くなっている。これを、コイル型の網端部保護部材２を使って、線材１１の端部切断面１１ａの挿入連結を通じて、隣合う端部撚り軸１２同士を連結することで、網１の端部は変形しにくくなり、また強度も高められる。
【００２９】
次に、上記考案を実施するための形態の構成に基づくコイル型の網端部保護部材の使用方法について以下説明する。
網１の切断端部に形成された各端部撚り軸１２に、対応する個数の各コイル型の網端部保護部材２を装着する場合には、その内部に形成される線材端部切断面挿入空所２２の内径が端部撚り軸１２の外径よりも大きいものを使用する。また、端部撚り軸１２の長さよりも長いものを使用する。
【００３０】
コイル型の網端部保護部材２の線材端部切断面挿入空所２２の開口する一端を端部撚り軸１２の先端に装着し、開口する一端内に端部撚り軸１２の先端側を挿入させて、コイル型の網端部保護部材２を端部撚り軸１２の根本側に向けて移動させる。
【００３１】
すると、端部撚り軸１２及び先端側の二つの線材１１の端部切断面１１ａは、コイル型の網端部保護部材２の線材端部切断面挿入空所２２の内部に挿入されて、コイル型の網端部保護部材２によって覆われる。
【００３２】
これにより、鋭利な切断面を有する線材１１の端部切断面１１ａが外部に露出するのが確実に防がれ、鋭利な端部切断面１１ａによって身体の一部を傷つけるのを回避でき、安全性を高めることができる。
【００３３】
装着したコイル型の網端部保護部材２が端部撚り軸１２から外れる恐れがあるときには、端部撚り軸１２が挿入されている線材端部切断面挿入空所２２に接着剤を、端部撚り軸１２を挿入した側の反対側となる線材端部切断面挿入空所２２の他端の開口部分から注入する。また、この他端の開口部分に必要に応じて蓋を取り付けて、ゴミなどの異物が混入するのを防ぐ。
【００３４】
続いて、網１の切断端部に形成された隣り合う端部撚り軸１２の先端側から向き合う方向にそれぞれ突出した線材１１の端部切断面１１ａに、コイル型の網端部保護部材２の両端側を装着する場合には、その内部に形成される線材端部切断面挿入空所２２の内径が線材１１の外径と同程度のもの、つまり線材端部切断面挿入空所２２の内径が小さいものを使用する。また、隣り合う端部撚り軸１２の間の長さと同程度の長さを有するコイル型の網端部保護部材２を使用する。
【００３５】
コイル型の網端部保護部材２の線材端部切断面挿入空所２２の開口する一端を、隣り合う片方の端部撚り軸１２の先端から突出する線材１１の端部切断面１１ａに装着し、開口する一端内に線材１１の端部切断面１１ａを挿入させる。
【００３６】
同様に、線材端部切断面挿入空所２２の開口する他端を、隣り合う他方の端部撚り軸１２の先端から突出する別体の線材１１の端部切断面１１ａに装着し、開口する他端内に別体の線材１１の端部切断面１１ａを挿入させる。
【００３７】
このようにして、隣り合う両側の端部撚り軸１２からそれぞれ突出する線材１１の端部切断面１１ａはコイル型の網端部保護部材２の両端側によって覆われる。また、コイル型の網端部保護部材２によって、隣り合う両側の端部撚り軸１２は線材１１を通じて連結される。
【００３８】
これにより、鋭利な切断面を有する線材１１の端部切断面１１ａが外部に露出するのが確実に防がれ、鋭利な端部切断面１１ａによって身体の一部を傷つけるのを回避でき、安全性を高めることができる。
【００３９】
また、隣り合う両側の端部撚り軸１２は、線材１１を通じてコイル型の網端部保護部材２によって連結されるので、変形しにくくなり、また強度も高められる。これにより網１の端部も、変形しにくくなり、また強度も高められる。
【００４０】
網端部保護部材２として、コイル型を使用する場合には、端部撚り軸１２の外径や線材１１の直径に応じて、保護部材用線材２１ａをコイル状に加工することにより、その都度容易に対応可能となり、複数のサイズの網端部保護部材２をストックしておく手間を省略することができる。
【００４１】
〔実施例の形態−２〕
図５〜図９において、例えば金属製、プラスチック製などからなる線材１１を、例えば六角形の亀甲形Ｋなどに編んで形成される網１が知られている。線材１１のプラスチック製の材質には合成樹脂モノフィラメントがある。この網１は、金属製、プラスチック製などの線材を特殊な編み上げ装置を使って、隣り合う２本の線材１１同士を撚りながら亀甲形Ｋなどの網状に加工して作られる。そして、このような加工で作られた網１は強度があるため、例えば侵入防止フェンスや落石防止フェンスなどの防護用フェンス、養殖用の生け簀網などに幅広く使用されている。
【００４２】
網１は、使用用途に応じて、その端部が適宜切断されて使用される。網１が強度の要求される箇所で使用されることもあって、網１を構成する金属製、プラスチック製などからなる線材１１は、直径が数mmから５mm前後になるものもあり、しかも堅い。このため、これを切断すると、線材１１の切断された端部切断面１１ａは鋭利な切断面となり、危険な状態になる。身体の一部が触れると怪我をすることもあり得る。
【００４３】
網端部保護部材３は、鋭利な切断面となる線材１１の端部切断面１１ａを覆って保護するもので、外形は筒体３１から構成されている。筒体３１は平面からみて、例えば円形の形状、つまり円筒形状になっている。筒体３１の材質を網１の線材２１ａと同じにすることにより、網１の線材１１と筒体３１の強度や耐久性を同一に維持することが可能となる。
【００４４】
筒体３１の内部には線材１１の端部切断面１１ａが入る線材端部切断面挿入空所３２が形成されている。線材端部切断面挿入空所３２は通常、両端が開口されていて、この開口されたから線材１１の端部切断面１１ａが挿入される。必要に応じて、線材端部切断面挿入空所３２の一方の端が塞がれて使用されることもある。
【００４５】
この線材端部切断面挿入空所３２の内側直径は、網端部保護部材３の装着箇所によって大小がある。即ち、端部切断面１１ａと共に端部撚り軸１２も挿入されてこれらを覆って保護する場合と、端部切断面１１ａのみが挿入されてこれを覆って保護する場合では、内側直径が異なる。
【００４６】
網１の端部には隣り合う２本の線材１１同士を撚って端部撚り軸１２が形成されるが、この端部撚り軸１２の先側の近くで切断されることもある。つまり２本の線材１１の先端が端部撚り軸１２の先端側から余り突出させずに切断する場合である。このときには、２つの端部切断面１１ａの直近には一つの端部撚り軸１２があることになる。
【００４７】
このような構造になっているとき、網端部保護部材３を端部撚り軸１２に装着して、線材端部切断面挿入空所３２の内部に一つの端部撚り軸１２と二つの端部切断面１１ａとが挿入されてこれらを覆って保護する場合には、網端部保護部材３は線材端部切断面挿入空所３２の直径が大きいものが使用される。
【００４８】
この線材端部切断面挿入空所３２の直径が大きいのが用いられる場合には、一つの端部撚り軸１２に一つの網端部保護部材３が装着される。このときには、線材端部切断面挿入空所３２の他端から端部撚り軸１２の先端側の端部切断面１１ａが突出しないように、網端部保護部材３の長さは端部撚り軸１２の長さより少し長いものが使用される。
【００４９】
各端部撚り軸１２はそこそこの長さを有しているので、網端部保護部材３を装着しても、簡単には外れないため装着される。装着される各端部撚り軸１２の先端側には撚った二つの線材１１の各端部切断面１１ａが存在するが、網端部保護部材３を各端部撚り軸１２に装着することで、二つの端部切断面１１ａを同時に覆って保護することができるのである。
【００５０】
この場合、装着した網端部保護部材３が端部撚り軸１２から簡単に外れないように、内部の端部撚り軸１２と線材端部切断面挿入空所３２との隙間に接着剤が注入されることもある。また、端部撚り軸１２が挿入された一端とは反対側になる線材端部切断面挿入空所３２の他端の開口部分には、内部にゴミなどが入らないように図示しない蓋が取り付けられることがある。
【００５１】
網端部保護部材３の線材端部切断面挿入空所３２の内側直径が小さいときには、線材１１の直径ほどの大きさで、線材１１の端部切断面１１ａが完全に挿入できる程度の大きさものが使用される。線材端部切断面挿入空所３２の内側直径が小さい場合には、隣同士の各端部撚り軸１２の先端側から両側に向けてそれぞれ突出する片方の線材１１の先端側同士を連結するように、網端部保護部材３は取り付けられる。
【００５２】
この場合、網端部保護部材３は、その一端には、端部撚り軸１２先端側の片方の線材１１の端部切断面１１ａが挿入され、その他端には、隣の端部撚り軸１２先端側の片方の線材１１の端部切断面１１ａが挿入される。
【００５３】
この場合において、図８に示すものは、各端部切断面１１ａを先端側の線材１１は端部撚り軸１２の軸方向に対して６０度前後傾いているので、両者を連結する網端部保護部材３の両端側は「ハ」型状になる。このため、両者を連結する網端部保護部材３は弧状に変形にする。
【００５４】
これに対して、図９に示すものは、各端部切断面１１ａを先端側の線材１１は端部撚り軸１２の軸方向に対して９０度前後傾いているので、両者を連結する網端部保護部材３の両端側は水平状になる。このため、両者を連結する網端部保護部材３も水平状になる。
【００５５】
網１の端部に形成される各端部撚り軸１２は一般にその先端側が連結されてなく、非拘束つまりフリーの状態になっていて、変形し易く、また強度的に弱くなっている。これを、網端部保護部材３を使って、線材１１の端部切断面１１ａの挿入連結を通じて、隣合う端部撚り軸１２同士を連結することで、網１の端部は変形しにくくなり、また強度も高められる。
【００５６】
次に、上記考案を実施するための形態の構成に基づくコイル型の網端部保護部材の使用方法について以下説明する。
網１の切断端部に形成された各端部撚り軸１２に、対応する個数の各網端部保護部材３を装着する場合には、その内部に形成される線材端部切断面挿入空所３２の内径が端部撚り軸１２の外径よりも大きいものを使用する。また、端部撚り軸１２の長さよりも長いものを使用する。
【００５７】
網端部保護部材３の線材端部切断面挿入空所３２の開口する一端を端部撚り軸１２の先端に装着し、開口する一端内に端部撚り軸１２の先端側を挿入させて、網端部保護部材３を端部撚り軸１２の根本側に向けて移動させる。
【００５８】
すると、端部撚り軸１２及び先端側の二つの線材１１の端部切断面１１ａは、網端部保護部材３の線材端部切断面挿入空所３２の内部に挿入されて、網端部保護部材３によって覆われる。
【００５９】
これにより、鋭利な切断面を有する線材１１の端部切断面１１ａが外部に露出するのが確実に防がれ、鋭利な端部切断面１１ａによって身体の一部を傷つけるのを回避でき、安全性を高めることができる。
【００６０】
装着した網端部保護部材３が端部撚り軸１２から外れる恐れがあるときには、端部撚り軸１２が挿入されている線材端部切断面挿入空所３２に接着剤を、端部撚り軸１２を挿入した側の反対側となる線材端部切断面挿入空所３２の他端の開口部分から注入する。また、この他端の開口部分に必要に応じて蓋を取り付けて、ゴミなどの異物が混入するのを防ぐ。
【００６１】
続いて、網１の切断端部に形成された隣り合う端部撚り軸１２の先端側から向き合う方向にそれぞれ突出した線材１１の端部切断面１１ａに、網端部保護部材３の両端側を装着する場合（図８、図９）には、その内部に形成される線材端部切断面挿入空所３２の内径が線材１１の外径と同程度のもの、つまり線材端部切断面挿入空所３２の内径が小さいものを使用する。また、隣り合う端部撚り軸１２の間の長さと同程度の長さを有する網端部保護部材３を使用する。
【００６２】
網端部保護部材３の線材端部切断面挿入空所３２の開口する一端を、隣り合う片方の端部撚り軸１２の先端から突出する線材１１の端部切断面１１ａに装着し、開口する一端内に線材１１の端部切断面１１ａを挿入させる。
【００６３】
同様に、線材端部切断面挿入空所３２の開口する他端を、隣り合う他方の端部撚り軸１２の先端から突出する別体の線材１１の端部切断面１１ａに装着し、開口する他端内に別体の線材１１の端部切断面１１ａを挿入させる。
【００６４】
このようにして、隣り合う両側の端部撚り軸１２からそれぞれ突出する線材１１の端部切断面１１ａは網端部保護部材３の両端側によって覆われる。また、網端部保護部材３によって、隣り合う両側の端部撚り軸１２は線材１１を通じて連結される。
【００６５】
これにより、鋭利な切断面を有する線材１１の端部切断面１１ａが外部に露出するのが確実に防がれ、鋭利な端部切断面１１ａによって身体の一部を傷つけるのを回避でき、安全性を高めることができる。
【００６６】
また、隣り合う両側の端部撚り軸１２は、線材１１を通じて網端部保護部材３によって連結されるので、変形しにくくなり、また強度も高められる。これにより網１の端部も、変形しにくくなり、また強度も高められる。
【００６７】
なお、この考案は上記考案を実施するための形態に限定されるものではなく、この考案の精神を逸脱しない範囲で種々の改変をなし得ることは勿論である。
【産業上の利用可能性】
【００６８】
亀甲形に編んだ網の他に、例えばひし形などの各種形状に編んだ網の線材の端部切断面を覆って保護する用途にも適用可能である。
【符号の説明】
【００６９】
１    網
１１    線材
１１ａ  端部切断面
１２    端部撚り軸
２    コイル型の網端部保護部材
２１    コイル型筒体
２１ａ  保護部材用線材
２２    線材端部切断面挿入空所
３    網端部保護部材
３１    筒体
３２    線材端部切断面挿入空所
Ｋ    亀甲形
【図１】
0003192957.tif 000003
【図２】
0003192957.tif 000004
【図３】
0003192957.tif 000005
【図４】
0003192957.tif 000006
【図５】
0003192957.tif 000007
【図６】
0003192957.tif 000008
【図７】
0003192957.tif 000009
【図８】
0003192957.tif 000010
【図９】
0003192957.tif 000011
【図１０】
0003192957.tif 000012